(57)【特許請求の範囲】
【請求項１】
魚釣りに用いる釣竿の竿体の周面に固定され釣糸を案内する為の釣糸ガイドであって、
軸方向視において略円状の脚部と、
前記脚部の円形状の円内に配置されたガイドリングと、
前記脚部の円形状下部から略直交方向に突出する固定部とを備え、
前記竿体が前記脚部の円内を挿通した状態で前記竿体下面と前記固定部とが接触し、前記固定部が前記竿体に固定され、
前記脚部は前記竿体の軸方向に離れて位置する軸方向視において略円形状の第１脚部と第２脚部とを有し、前記第１脚部と第２脚部とは上端において連結され、前記第１脚部または前記第２脚部に前記ガイドリングが配置されている、釣糸ガイド。
【発明の詳細な説明】
【０００１】
【発明の属する技術分野】
本発明は、竿体の外周面に固定された釣糸ガイドに関する。
【０００２】
【従来の技術】
魚釣りに用いる釣竿の竿体の外周面には、釣糸を支持しつつリールと穂先側との間で案内する釣糸ガイドが設けられている。この釣糸ガイドは、竿体周面から起立するように位置する脚部と、脚部の一端に形成され竿体に固定される固定部と、脚部の他端に配置され釣糸が挿通するセラミックス等の硬質部材からなるガイドリングとを有する。そして、この脚部先端の固定部が竿体の周面に例えば合成樹脂と巻糸とによって固定されている。
【０００３】
このような従来の釣竿では、リールからの釣糸が釣糸ガイドのガイドリングを順次挿通して穂先側に導かれてゆく。
【０００４】
【発明が解決しようとする課題】
従来の釣糸ガイドにおいて最も問題とされる点の一つが「糸絡み」という問題である。即ち、釣糸が釣糸ガイドのガイドリングを挿通して案内される際に、いわゆる「糸ふけ」現象によって釣糸がたるみ、釣糸ガイドの脚部に巻き付いてしまうような現象が起こる場合がある。従来のガイドリングは、柱状の脚部の先端にガイドリングがはめ込まれているため、このガイドリング付近の脚部に「糸絡み」が生じる場合があった。
【０００５】
また、釣糸ガイドはガイドリングをなるべく竿体周面に近づけて位置させて竿体に沿わせて釣糸を案内したい場合（例えば、両軸リールを用いて釣りを行うような場合）もある。しかし、従来の釣糸ガイドでは、一般に脚部の他端を折り曲げて固定部を形成し固定部を竿体周面に沿わせて固定されているため、ガイドリングと固定部との間に一定の距離が必要とされ、ガイドリングを竿体周面にまさに近接させることが困難であった。
【０００６】
本発明の課題は、糸絡みを極力防止できると共に、ガイドリングの位置を竿体から任意の距離に配置可能なガイドリングを提供することにある。
【０００７】
【課題を解決するための手段】
発明１に係る釣糸ガイドは、魚釣りに用いる釣竿の竿体の周面に固定され釣糸を案内する為の釣糸ガイドであって、軸方向視において略円状の脚部と、脚部の円形状の円内に配置されたガイドリングと、脚部の円形状下部から略直交方向に突出する固定部とを備えている。そして、竿体が脚部の円形状を挿通した状態で竿体下面と固定部とが接触し、この固定部が竿体に固定されている。
また、脚部は竿体の軸方向に離れて位置する軸方向視において略円形状の第１脚部と第２脚部とを有し、第１脚部と第２脚部とは上端において連結され、第１脚部または第２脚部にガイドリングが配置されている。
【０００８】
竿体に装着したリールより導出されてくる釣糸が釣糸ガイドのガイドリングを穂先側に挿通する。そして、釣糸ガイドがこの釣糸を支持して案内することになる。この釣糸ガイドでは、ガイドリングが脚部の略円形状の円内に配置され、さらに竿体も脚部の円形状の円内を挿通しているので、脚部外形線はなだらかな略円形状が維持されている。このため、釣糸が緩んでたとえ脚部に絡まっても釣糸が引っかかる部分がなく、速やかに釣糸の絡みが解消される。また、脚部の略円形状の円内を竿体が挿通しているので、竿体とガイドリングとの距離をまさに近接させることも可能である。
【０００９】
なお、脚部の形状としては糸絡みの少ない外形線を維持できればよく、例えば、楕円形状，上部側ほど幅狭となる略小判型形状等を採用することも可能である。
【００１１】
このような第１脚部と第２脚部とを有することで釣糸ガイド自体の強度が十分に向上する。そして、第１脚部と第２脚部とはそれぞれ略円形状を維持しているので、糸絡みも十分に抑えられる。
【００１２】
【発明の実施の形態】
［第１実施形態］
以下、本発明の第１実施形態について図面を参照しつつ説明する。
【００１３】
本発明の第１実施形態を採用した釣糸ガイド１は、図１に示すように、釣竿の竿体１００の周面に固定される部材である。この釣糸ガイド１は、竿体１００の軸方向に一定の距離を設けて複数個配置されるのが一般的である。そして、竿体１００に装着されるリール（図示せず）からの釣糸を穂先側に向けて案内することになる。
【００１４】
図２及び３にも詳しく示すように、この竿体１００に配置される釣糸ガイド１は、竿体１００の軸方向視において略円形に形成された脚部２と、脚部２の上端側に固定されているガイドリング３と、脚部２の下端側に形成され竿体周面に当接して固定される固定部４とを有している。
【００１５】
脚部２は、スチール，アルミニウム等の金属またはTi-Ni合金等の超弾性を有する金属，その他の合成樹脂から構成される薄板状部材であり、詳しくは、竿体１００の断面方向視においてその外形線が略楕円形状に形成された部材からなる。このような略楕円形状の２つの部材２ｂ，２ｃが竿体１００の軸方向に離れて存在し、その上端が一体的に連結されることで、脚部２が構成されている。この脚部２は金属板等から所定形状を打ち抜いて折り曲げて形成してもよく、または、それぞれ２ｂ，２ｃを形成後にその上端を溶接等してもよい。
【００１６】
また、脚部２の一方（例えば、竿元側に位置する２ｂ）の略楕円形状の上端の円形内にはさらに円形状部分２ａが形成されており、この円形状部分２ａにガイドリング３がはめ込まれて固定されている。
【００１７】
ガイドリング３はセラミックスや硬質金属等からなるリング状部材であり、釣糸がここを挿通することになる。上述のように脚部２の一方２ｂの略円形内にガイドリング３が配置されることになる。
【００１８】
固定部４は脚部２と一体的に形成され、脚部の略円形の下端部分に略直角方向に折り曲げられて竿体１００の軸方向に沿うように構成された部分である。竿体１００は脚部２の円形状内を挿通する状態で位置し、この固定部４は竿体１００の下面（ガイドリング３が位置する側と１８０度変位する側）において竿体１００の周面に当接し、竿体１００に固定されることになる。具体的には、固定部４を竿体１００共々に巻糸５で巻回し合成樹脂でコーティングする等の方法によって、固定部５は竿体１００に固定される。
【００１９】
このように構成された釣糸ガイド１においては、ガイドリング３が脚部２の略円形状の円内に配置され、さらに竿体１００も脚部２の円形状の円内を挿通しているので、脚部２の外形線はなだらかな略円形状が維持されている。釣糸がガイドリング３を挿通する際に、その張りが緩んで脚部２に巻き付いてしまったような場合でも、この釣糸が脚部２に引っかかる部分がなく、速やかに釣糸の絡みが解消されることになる。
【００２０】
［第２実施形態］
以下、本発明の第２実施形態について図面を参照しつつ説明する。
本発明の第２実施形態を採用した釣糸ガイド１０は、図４に示すように、釣竿の竿体１００の周面に固定される部材である。この釣糸ガイド１０は、竿体１００の軸方向視において略円形に形成された脚部１２と、脚部１２の円形内に配置され固定されているガイドリング１３と、脚部１２の円形状の下端側に形成され竿体周面に当接して固定される固定部１４とを有している。
【００２１】
脚部１２は、第１実施形態と同様に、所定の金属やその他の合成樹脂から構成される薄板状部材であり、竿体１００の断面方向視においてその外形線が略円形状に形成された部材である。そして、脚部１２の略円形内には、下方にやや空間を設けつつさらに円形状部分が形成されており、この円形状部分にガイドリング１３がはめ込まれて固定されている。
【００２２】
固定部１４は脚部１２と一体的に形成され、脚部の略円形の下端部分に略直角方向に折り曲げられて竿体１００の軸方向に沿うように構成された部分である。そして、竿体１００は脚部１２の円形状内（詳しくは、ガイドリング１３のはめ込まれた円形状部分の下方の空間）を挿通する状態で位置し、固定部１４は竿体１００の下面において竿体１００の周面に当接し、竿体１００に固定されることになる。例えば、固定部１４を竿体１００共々に巻糸１５で巻回し合成樹脂でコーティングする等の方法による。
【００２３】
このように構成された釣糸ガイド１０においても第１実施形態と同様の作用効果を奏する。また、竿体１００が脚部１２の円形内を挿通する構造により、同様に脚部１２内に配置されるガイドリング１３との距離を十分に近接させることが可能となる。この結果、竿体１００の周面に極めて近接する位置にガイドリング１３を位置させて、釣糸を案内可能である。
【００２４】
［他の実施形態］
（ａ）本発明に係る釣糸ガイドは、外通し竿のみではなく、中通し竿において用いることも可能である。即ち、中通し竿においても、リールから釣糸導入口への間において釣糸を支持する為に釣糸ガイドが配置される場合があるが、この釣糸ガイドに本発明を適応可能となる。
（ｂ）脚部の形状は上記実施形態に限定されるものではなく、例えば、竿体軸方向視において略小判状型等の形状を採用することも可能である。
【００２５】
【発明の効果】
本発明に係る釣竿ガイドでは、糸絡みが十分に防止できると共に、ガイドリングと竿体との距離を十分に近接させることも可能となる。
【図面の簡単な説明】
【図１】本発明の第１実施形態を採用した釣竿ガイドの全体図。
【図２】図１の釣糸ガイドの正面図。
【図３】図１の釣糸ガイドの上面図。
【図４】本発明の第２実施形態を採用した釣糸ガイドの全体図。
【符号の説明】
１，１０  釣糸ガイド
２，１２  脚部
３，１３  ガイドリング
４，１４  固定部
１００  竿体
【図１】
0004539942.tif 000002
【図２】
0004539942.tif 000003
【図３】
0004539942.tif 000004
【図４】
0004539942.tif 000005